(57)【特許請求の範囲】
【請求項１】
膝ボトムの一端側をベッドフレームに回動昇降可能に支持し、その他端側に足ボトムの一端側を回動可能に連結し、足ボトムの他端側の下側に設けた連結部材に支持ステーを回動可能に連結して、この支持ステーの先端側に支持部を構成すると共に、前記支持ステーが足ボトムの下方側に位置した状態において、前記支持部を係合可能な支持手段をベッドフレームに構成し、更に前記支持ステーと前記足ボトムの成す角度が所定角度以上となることを阻止するための支持ステーの回動阻止手段を構成し、この回動阻止手段は、前記支持ステーの端部に前記連結部材に当接するストッパーを設けた構成としたことを特徴とするベッドにおける足ボトムの支持機構。
【請求項２】
支持手段が、複数の係合凹部をベッドフレームの長手方向に配置して、長手方向の複数個所で支持部を係合可能な構成であることを特徴とする請求項１に記載のベッドにおける足ボトムの支持機構。
【請求項３】
支持手段が、支持ステーの支持部を移動可能に支持する案内部と、前記支持部を係合する係合部とから構成されており、前記案内部は、膝ボトムの回動範囲に渡って、その回動に伴ってベッドフレームの長手方向に移動する支持部を支持可能に構成すると共に、係合部は、膝ボトムの下降時に前記支持部が位置する前記案内部の端部側の下方に構成されていることを特徴とする請求項１に記載のベッドにおける足ボトムの支持機構。
【請求項４】
ストッパーは、支持ステーの端部の曲率半径を次第に大きくした径大部により構成したことを特徴とする請求項１〜３のいずれか１項に記載のベッドにおける足ボトムの支持機構。
【請求項５】
ストッパーは、支持ステーの端部に形成した突出部により構成したことを特徴とする請求項１〜３のいずれか１項に記載のベッドにおける足ボトムの支持機構。
【発明の詳細な説明】
【技術分野】
【０００１】
本発明は、ベッドにおける足ボトムの支持機構に関するものである。
【背景技術】
【０００２】
現在、医療用や家庭用のベッドとしては、背ボトムや膝ボトムを回動させて起伏可能とすることにより、ボトム上の使用者を、場合に応じて好適な姿勢で支持するように構成したものが幅広く使用されている。
【０００３】
膝ボトムには足ボトムの一端側が回動可能に連結されており、従来のベッドでは、足ボトムの他端側が、常時、ベッドフレームの支持面に支持されているものと、足ボトムの他端側の下側に支持ステーを回動可能に連結して、この支持ステーにより、ベッドフレームの上方に支持可能としたものとがある。
【０００４】
例えば特許文献１は、足ボトムの他端側の下側に支持ステーを回動可能に連結し、この支持ステーの先端側をベッドフレームに設けた支持手段に支持することにより、足ボトムの他端側をベッドフレームの上方に支持可能としたものであり、支持手段は、ベッドフレームの長手方向に複数配置した係合凹部とから構成され、支持ステーの先端側を支持する係合凹部の位置を変えることにより、足ボトムの他端側の高さ調節を可能としている。
【０００５】
図２２〜図２７はこのような従来の足ボトムの支持機構の一例を模式的に示すものである。
符号ａはベッドフレームであり、このベッドフレームａに膝ボトムｂの一端側を回動昇降可能に支持している。ｃはベッドフレームａに回動可能に支持した押上アームであり、この押上アームｃは作動部材ｄを介してアクチュエータｅに連結して、アクチュエータの図中左右方向の動きにより膝ボトムｂを回動昇降可能に構成している。そして膝ボトムｂの他端側には足ボトムｆの一端側を回動可能に連結しており、足ボトムｆの他端側の下側に支持ステーｇを回動可能に連結している。
【０００６】
図２２に示すように、支持ステーｇは足ボトムｆの幅方向の左右側に一対構成すると共に、それらを先端側において連結棒体ｈにより一体に結合すると共に、支持ステーｇの先端側を貫いた連結棒体ｈの端部を支持部ｉとして構成し、その端部にはクランク状の取手部ｊを形成している。一方、ベッドフレームａには支持部ｉを係合させる２つの係合凹部ｍ、ｎを長手方向に配置した支持部材ｏを設けている。
【特許文献１】特開昭６３−１２５２１３号公報
【発明の開示】
【発明が解決しようとする課題】
【０００７】
以上の構成において、膝ボトムｂが回動上昇した状態において、図２４に示すように支持部ｉが係合凹部ｍに係合している場合には、図２３に示すように足ボトムｆの他端側は、ベッドフレームａとの角度が大きい状態の支持ステーｇによって高い位置に支持される。
【０００８】
一方、膝ボトムｂが回動上昇した状態において、図２６に示すように支持部ｉが係合凹部ｎに係合している場合には、図２５に示すように足ボトムｆの他端側は、ベッドフレームａとの角度が小さい状態の支持ステーｇによって低い位置に支持される。
【０００９】
ここで以上のような、膝ボトムｂが回動上昇した状態において、足ボトムｆの他端側を高い位置に支持する支持形態と、膝ボトムｂが回動上昇した状態において、足ボトムｆの他端側を低い位置に支持する支持形態との、相互の切り替え操作は、例えば図２３又は図２５に示すように膝ボトムｂを回動上昇させた状態で、支持ステーｇを手で持って前方に回動させて、支持部ｉを所望の係合凹部ｍ、ｎに係合させるようにして行う。
【００１０】
しかしながら支持ステーｇが足ボトムｆに対して自由に回動可能であると、支持ステーｇは上述した切り替え操作において、図２７に示すように、支持部材ｏを離れた方向に動いて揺動してしまうことがあり、操作がやり難いことに加えて、そのまま足ボトムｆを下げてしまうと、支持ステーｇや、ベッド本体側の構成要素を破損してしまうような場合もある。
【００１１】
このような不都合を防止するために、支持部材ｏの係合凹部ｍ、ｎの上部に蓋をした構成とし、蓋をした状態で支持ステーｇを無理矢理変形させて支持部ｉを係合させる構成や、係合後に蓋をする構成が提案されている。
【００１２】
しかしながらこれらの構成では、ベッドの組立が困難になったり、部品点数が多くなるという問題があった。
本発明は、このような問題点を解決することを目的とするものである。
【課題を解決するための手段】
【００１３】
上述した課題を解決するために、本発明では、膝ボトムの一端側をベッドフレームに回動昇降可能に支持し、その他端側に足ボトムの一端側を回動可能に連結し、足ボトムの他端側の下側に設けた連結部材に支持ステーを回動可能に連結して、この支持ステーの先端側に支持部を構成すると共に、前記支持ステーが足ボトムの下方側に位置した状態において、前記支持部を係合可能な支持手段をベッドフレームに構成し、更に前記支持ステーと前記足ボトムの成す角度が所定角度以上となることを阻止するための支持ステーの回動阻止手段を構成し、この回動阻止手段は、前記支持ステーの端部に前記連結部材に当接するストッパーを設けた構成としたベッドにおける足ボトムの支持機構を提案する。
【００１４】
また本発明では、上記の構成において、支持手段は、複数の係合凹部をベッドフレームの長手方向に配置して、長手方向の複数個所で支持部を係合可能な構成とすることを提案する。
【００１５】
また本発明では、上記の構成において、支持手段は、支持ステーの支持部を移動可能に支持する案内部と、前記支持部を係合する係合部とから構成し、前記案内部は、膝ボトムの回動範囲に渡って、その回動に伴ってベッドフレームの長手方向に移動する支持部を支持可能に構成すると共に、係合部は、膝ボトムの下降時に前記支持部が位置する前記案内部の端部側の下方に構成することを提案する。
【００１６】
また本発明では、上記の構成において、回動阻止手段を構成するストッパーは、支持ステーの端部の曲率半径を次第に大きくした径大部により構成することを提案する。
【００１７】
また本発明では、上記の構成において、回動阻止手段を構成するストッパーは、支持ステーの端部に形成した突出部により構成することを提案する。
【発明の効果】
【００１８】
本発明によれば、回動阻止手段により、支持ステーと足ボトムの成す角度が所定角度以上となることが阻止されるため、膝ボトムが回動上昇した状態において、足ボトムの他端側を高い位置に支持する支持形態と、足ボトムの他端側を低い位置に支持する支持形態との、相互の切り替え操作を行う際に、膝ボトムを回動上昇させた状態では、支持ステーは、前方に回動した状態が維持されるため、支持部を所望の係合部に係合させる動作を容易に行うことができる。またそのまま足ボトムを下降させても支持部は支持手段上に移動するので、支持ステーや、ベッド本体側の構成要素を破損してしまうことがない。
【００１９】
回動阻止手段を構成するストッパーとして、支持ステーの端部の曲率半径を次第に大きくした径大部や、端部に形成した突出部により構成すれば、部品点数が増加することもなく、製作も容易である。
【発明を実施するための最良の形態】
【００２０】
次に本発明のベッドにおける足ボトムの支持機構を、本発明の実施の形態に対応する図１〜図１８と、本発明を適用しない場合の動作に対応する図１９〜図２１を参照して説明する。
図において、符号１はベッドフレームであり、このベッドフレーム１に膝ボトム２の一端側を回動昇降可能に支持している。３はベッドフレーム１に回動可能に支持した押上アームであり、この押上アーム３は作動部材４を介してねじシャフト式アクチュエータ等のアクチュエータ５に連結して、アクチュエータ５の図中左右方向の動きにより膝ボトム２を回動昇降可能に構成している。そして膝ボトム２の他端側には足ボトム６の一端側を回動可能に連結しており、足ボトム６の他端側の下側に支持ステー７を回動可能に連結している。
【００２１】
図１に示すように、支持ステー７は足ボトム６の幅方向の左右側に一対構成すると共に、それらを先端側において連結棒体８により一体に結合すると共に、支持ステー７の先端側を貫いた連結棒体８の端部を支持部９として構成し、その端部には鉤状部１０を形成している。図示は省略しているが、この支持部９と鉤状部１０には摺動時における滑りを良くすることと、異音の発生を防止するための合成樹脂製キャップが嵌合されている。
【００２２】
一方、ベッドフレーム１には、支持部９を支持するための支持手段１１を設けており、この支持手段１１は、支持部９を移動可能に支持する案内部１２と係合部１３とから構成している。この案内部１２は、後述する動作から明らかなように、膝ボトム２の回動範囲に渡って、その回動に伴って移動する支持部９を支持可能に構成している。そして、係合部１３は、膝ボトム２の下降時に支持部９が位置する案内部１２の端部側の下方に構成している。更に係合部１３には、上記端部側から離れる側に上方に傾斜した傾斜面１４を構成している。一方、案内部１２は、膝ボトム２の下降時に支持部９が位置する端部側を、傾斜面１５を介して低段部１６として構成している。
【００２３】
一方、本発明では、この実施の形態において、支持ステー７の端部と足ボトム６に設けた連結部材１７との連結位置において、支持ステー７の端部に連結部材１７に当接するストッパー１８を設けた構成としたもので、このストッパー１８は、図２〜図４に示す実施の形態では支持ステー７の端部の曲率半径を次第に大きくした径大部により構成している。また図５〜図７に示す実施の形態では、ストッパー１８は、支持ステー７の端部に構成した突出部により構成している。以上の構成により、支持ステー７は図３又は図６に示すように足ボトム６との成す角度が小さい方向には移動が自由であるが、図４又は図７に示す角度以上になろうとする図中反時計回りの回動においては、径大部又は突出部によるストッパー１８が連結部材１７の下面に当接するため、それ以上の回動が不能となるものである。尚、図５〜図７に示す実施の形態では、連結部材１７は、図２に示すようなＬ字形ではなく、コ字形としており、このような形状とすることにより、強度を増大すると共に、指が挟まれるのを防ぐことができる。
【００２４】
以上の構成における本発明の動作を以下に説明する。
まず図９は支持部９を案内部１２上に位置させている状態において、膝ボトム２を回動上昇させた状態を示すものである。この状態では、支持部９は案内部１２の図中左側に位置しており、支持ステー７は足ボトム６の他端側を支持しないので、足ボトム６の一端側は膝ボトム２と共に上昇しているが、他端側はベッドフレーム１上に位置し、即ち低い位置に支持されている。
【００２５】
この状態から膝ボトム２を回動下降させると、足ボトム６の他端側はベッドフレーム１上に支持されながら図１０に示すように右方に移動し、これと共に支持部９も案内部１２上を右方向に移動する。
【００２６】
図１０の状態から更に膝ボトム２を回動下降させると、支持部９は図１１に示すように傾斜面１５に至り、次いで膝ボトム２と足ボトム６が平らになった状態では、支持部９は傾斜面１５から更に移動して、図１２に示すように低段部１６に位置するようになる。
【００２７】
上述したように案内部１２は、膝ボトム２の回動範囲に渡って、その回動に伴って移動する支持部９を支持可能に構成しており、このように膝ボトム２が回動範囲の下端に至った時点においても支持部９は案内部１２上に位置するので、この状態、即ち、膝ボトム２と足ボトム６が平らな状態から、膝ボトム２を回動上昇させた場合には、回動下降と逆の経過を辿って、足ボトム６の一端側が膝ボトム２と共に上昇して高い位置に支持され、一方、他端側はベッドフレーム１上の、低い位置に支持される。
【００２８】
次に例えば図９の状態において、図１３に示すように足ボトム６の他端側を持ち上げると、支持部９は案内部１２上を右方向に移動して、終いには図１４に示すように、案内部１２の端部を越えた位置に至る。
【００２９】
支持ステー７は、ストッパー１８により、図１３の状態を越えての図中反時計回りの回動が阻止されているため、この状態において足ボトム６を下降させると、支持部９は図１５に示すように係合部１３の右側に形成されている傾斜面１４に至り、そして更に下降させると図１６に示すよう係合部１３を構成する壁に当接して係合状態となる。
【００３０】
こうして支持部９が係合部１３に係合している支持ステー７は、足ボトム６の他端側を支持するため、足ボトム６は、膝ボトム２が回動上昇している状態で、その他端側が、支持ステー７により高い位置に支持された状態となる。
【００３１】
この状態において膝ボトム２を回動下降させると、足ボトム６の他端側は支持ステー７により支持されながら膝ボトム２から離れる方向に移動し、図１７の状態を経て、図１８に示すように、膝ボトム２と足ボトム６が平らな状態に至る。
【００３２】
この状態においては、支持部９は案内部１２の下方に位置するため、次に膝ボトム２を回動上昇させた場合には、足ボトム６は、その一端側が膝ボトム２により上昇すると共に、他端側が支持ステー７により支持されながら上昇して、図１６に示すように、再度、膝ボトム２が回動上昇した状態において、足ボトム６の他端側を高い位置に支持することができる。
【００３３】
ここで、図１９に示すように支持ステー７が足ボトム６に対して自由に回動可能であると、支持ステー７は上述した切り替え操作において、図２０に示すように、支持手段１１を離れた方向に動いて揺動してしまうことがあり、操作がやり難いことに加えて、そのまま図２１に示すように足ボトム６を下げてしまうと、支持ステー７や、ベッド本体側の構成要素を破損してしまうような場合もあるのであるが、本発明では、上述したようにこのような不都合の発生を未然に防止できるものである。
【００３４】
一方、本発明では、膝ボトム２が回動上昇した状態において、足ボトム６の他端側を高い位置に支持する支持形態から、膝ボトム２が回動上昇した状態において、足ボトム６の他端側を低い位置に支持する支持形態に移行させたい場合には、足ボトム６の他端側を持ち上げ、支持ステー７を手で持って前方に回動させて、支持部９を端部を越えて案内部１２上に移動させれば良い。
【００３５】
従って膝ボトム２と足ボトム６が平らな状態において、膝ボトム２に対しての足ボトム６の回動上昇が可能な構成の場合には、膝ボトム２が回動上昇した状態において、足ボトム６の他端側を高い位置に支持する支持形態と、膝ボトム２が回動上昇した状態において、足ボトム６の他端側を低い位置に支持する支持形態との、相互の切り替え操作を、膝ボトム２と足ボトム６がどのような位置にあった場合にも可能である。
【００３６】
また膝ボトム２と足ボトム６が平らな状態において、膝ボトム２に対しての足ボトム６の回動上昇が不可能な構成の場合にも、足ボトム６を膝ボトム２と共に持ち上げることにより適宜に支持形態の相互の切り替え操作を行うことができる。
【００３７】
尚、以上に説明した実施の形態では、支持手段１１が、支持ステー７の支持部９を移動可能に支持する案内部１２と、案内部１２の足部側端部の下方に設けた係合部１３とから構成しているが、本発明は、図２２〜図２７に示すように、支持手段が、ベッドフレーム１の長手方向に複数配置した係合凹部で構成されている場合にも適用できることは勿論である。
【産業上の利用可能性】
【００３８】
以上のとおり、本発明のベッドにおける足ボトムの支持機構は、支持ステーと足ボトムの成す角度が所定角度以上となることを阻止するための支持ステーの回動阻止手段を設けたという非常に簡素な構成により、支持形態の切り替え操作を容易に、且つ確実に行えると共に、構成要素の破損等を防止することができ、また部品点数も増加させず、ベッドの組立が困難になったり、部品点数が多くなることもないという数々の利点があり、医療用や家庭用のベッドとして、産業上の利用可能性が大である。
【図面の簡単な説明】
【００３９】
【図１】本発明の実施の形態を示すもので、要部模式的斜視図である。
【図２】本発明の実施の形態を示すもので、要部模式的斜視図である。
【図３】本発明の実施の形態を示すもので、要部の模式的側面図である。
【図４】図３とは異なった局面において示す要部の模式的側面図である。
【図５】本発明の他の実施の形態を示すもので、要部模式的斜視図である。
【図６】本発明の他の実施の形態を示すもので、要部の模式的側面図である。
【図７】図６とは異なった局面において示す要部の模式的側面図である。
【図８】本発明の実施の形態を示すもので、他の要部の模式的側面図である。
【図９】本発明の実施の形態を示す模式的側面図である。
【図１０】以上の図とは異なった局面において示す模式的側面図である。
【図１１】以上の図とは更に異なった局面において示す模式的側面図である。
【図１２】以上の図とは更に異なった局面において示す模式的側面図である。
【図１３】以上の図とは更に異なった局面において示す模式的側面図である。
【図１４】以上の図とは更に異なった局面において示す模式的側面図である。
【図１５】以上の図とは更に異なった局面において示す模式的側面図である。
【図１６】以上の図とは更に異なった局面において示す模式的側面図である。
【図１７】以上の図とは更に異なった局面において示す模式的側面図である。
【図１８】以上の図とは更に異なった局面において示す模式的側面図である。
【図１９】本発明を適用しない場合の構成と動作を示す要部模式的側面図である。
【図２０】本発明を適用しない場合の動作を示す模式的側面図である。
【図２１】本発明を適用しない場合の動作を他の局面で示す模式的側面図である。
【図２２】従来の足ボトムの支持機構を示す要部模式的斜視図である。
【図２３】従来の支持機構の動作を示す模式的側面図である。
【図２４】図２３の要部拡大図である。
【図２５】従来の支持機構の動作を他の局面で示す模式的側面図である。
【図２６】図２５の要部拡大図である。
【図２７】従来の支持機構の動作を更に他の局面で示す模式的側面図である。
【符号の説明】
【００４０】
１              ベッドフレーム
２              膝ボトム
３              押上アーム
４              作動部材
５              アクチュエータ
６              足ボトム
７              支持ステー
８              連結棒体
９              支持部
１０            鉤状部
１１            支持手段
１２            案内部
１３            係合部
１４            傾斜面
１５            傾斜面
１６            低段部
１７            連結部材
１８            ストッパー（径大部）
ａ              ベッドフレーム
ｂ              膝ボトム
ｃ              押上アーム
ｄ              作動部材
ｅ              アクチュエータ
ｆ              足ボトム
ｇ              支持ステー
ｈ              連結棒体
ｉ              支持部
ｊ              クランク状の取手部
ｍ、ｎ          係合凹部
ｏ              支持部材
【図１】
0004986887.tif 000002
【図２】
0004986887.tif 000003
【図３】
0004986887.tif 000004
【図４】
0004986887.tif 000005
【図５】
0004986887.tif 000006
【図６】
0004986887.tif 000007
【図７】
0004986887.tif 000008
【図８】
0004986887.tif 000009
【図９】
0004986887.tif 000010
【図１０】
0004986887.tif 000011
【図１１】
0004986887.tif 000012
【図１２】
0004986887.tif 000013
【図１３】
0004986887.tif 000014
【図１４】
0004986887.tif 000015
【図１５】
0004986887.tif 000016
【図１６】
0004986887.tif 000017
【図１７】
0004986887.tif 000018
【図１８】
0004986887.tif 000019
【図１９】
0004986887.tif 000020
【図２０】
0004986887.tif 000021
【図２１】
0004986887.tif 000022
【図２２】
0004986887.tif 000023
【図２３】
0004986887.tif 000024
【図２４】
0004986887.tif 000025
【図２５】
0004986887.tif 000026
【図２６】
0004986887.tif 000027
【図２７】
0004986887.tif 000028